(57)【要約】【課題】住宅における配線の多くは、天井裏等の高所（床より３ｍ位の所）に施されるので、電線１１を固定するためのステープル打設作業は、従来は脚立に乗って行っていた。しかし、脚立から作業員や工具が落下する危険があったし、脚立を昇ったり降りたりしなければならず、作業能率か悪かった。【解決手段】住宅内の手の届かない高所に電線１１を布設する際、長尺のステープル打設具１を手に持ち、その先端にある電線ガイド部２で電線を捕捉する。そして、布設箇所に押しつけた状態で、電動工具１０により本体パイプ５内のねじ棒６を回転させる。すると、ねじ棒と螺合させてあるステープル押出体４が前進し、ステープル３を押し出す。押し出されたステープルは、住宅造営体に突き刺さり、電線を固定する。これにより、高所へ配線する作業が、脚立に乗ることなく行うことが可能となる。【選択図】        図１
2004358561.tif 000002
【特許請求の範囲】
【請求項１】
中央に円形貫通孔を有する円柱体の側面に凸条体が厚さ方向に設けられて成る絶縁性の基体と、
該基体の一方の側面の直径方向両端に植立され、先端にピン後端嵌合部が設けられて成る絶縁性の２つの脚部と、
ピン先端は前記脚部内に隠され、ピンの後部は基体の外部に露出するよう基体および脚部を貫くよう挿入され、ピン後端に加えられる力によりピン先端が脚部より突出するようにされたピンと
を具えたことを特徴とするステープル。
【請求項２】
内部側面に凹条溝を有する円筒状の本体パイプと、
該本体パイプの先端部に嵌合され、ステープルを打設しようとする電線が前記本体パイプの真上に位置するようガイドする電線ガイド部と、
中央にねじ穴が開けられ、側面に凸条体が設けられた円柱状をし、該凸条体が前記凹条溝に嵌められた状態で前記本体パイプ内に遊嵌されたステープル押出体と、
該ステープル押出体のねじ穴にねじ込まれ、前記本体パイプと略同じ長さのねじ棒と、
該ねじ棒と連結され、前記本体パイプの下端より外部に露出している係合シャフトと、
前記本体パイプの下端に設けられ、該ねじ棒と係合シャフトとの連結部を前記本体パイプに対して滑らかに回転し得るようにした回転軸支部と
を具え
該係合シャフトを電動工具により回転させることにより前記ステープル押出体を押上げ、該ステープル押出体より先端側に入れたステープルを、前記本体パイプの先端より押し出して打設するようにしたことを特徴とするステープル打設具。
【請求項３】
電線ガイド部が、
両側にガイド切欠部が設けられた漏斗状のスカート体と、
該スカート体の中央部に延設され、且つ本体パイプの凹条溝に外部から嵌合する第２の凹条溝が側面内部に設けられた円筒状をし、本体パイプとの間にスプリングを介在させることにより本体パイプに対し進出，復帰自在に嵌合させた本体嵌合筒と
により構成されていることを特徴とする請求項２記載のステープル打設具。
【発明の詳細な説明】
【０００１】
【発明の属する技術分野】
本発明は、柱や壁等といった住宅造営体に電線を布設する場合、該電線を固定するために使用するステープルおよびステープル打設具に関するものである。
【０００２】
【従来の技術】
住宅造営体に電線を布設する場合には、該電線を固定するため、略コの字状のステープルを、電線に跨がらせて打ちつけることが行われている。このようなステープルは、金槌で１つ１つ打ちつけられたり、多くのステープルを収納したステープル打設具により打ちつけられたりする。
なお、ステープルに関する従来の文献としては、特開昭５６−０６２４８０号公報，特開昭５６−０６６５８３号公報，特開昭５６−０７１３３３号公報等がある。また、ステープル打設具に関する従来の文献としては、例えば特開平０６−０３１６４９号公報，特開平１１−１２９１６８号公報，特開昭５７−０９０３１８号公報，特開昭５８−０７５６７９号公報，特開平０４−０２３２６８号公報等がある。
【０００３】
【発明が解決しようとする課題】
ステープル打設作業は、布設する箇所が手の届く高さであれば、比較的楽に行える。しかし、住宅における配線の多くは、天井裏等の高所（床より３ｍ位の所）に施されるので、どうしても高所での作業が多くなる。
そのような高所にステープルを打設する場合には、脚立に乗って作業しているわけであるが、脚立を利用すると次のような問題点があった。
【０００４】
▲１▼脚立から作業員や工具が落下する恐れがあり、危険であった。
▲２▼脚立を移動したり、昇ったり降りたりしなければならず、手間と時間がかかり作業能率か悪かった。
▲３▼脚立を動かす場合に、住宅のガラス等にぶつけて破損する恐れがあった。
本発明は、以上のような問題点を解決することを課題とするものであり、脚立を用いなくとも高所にステープルを打設することが出来るステープル打設具を提供すると共に、該ステープル打設具に使用するステープルを提供することを目的とするものである。
【０００５】
【課題を解決するための手段】
前記課題を解決するため、本発明のステープルは、中央に円形貫通孔を有する円柱体の側面に凸条体が厚さ方向に設けられて成る絶縁性の基体と、該基体の一方の側面の直径方向両端に植立され、先端にピン後端嵌合部が設けられて成る絶縁性の２つの脚部と、ピン先端は前記脚部内に隠され、ピンの後部は基体の外部に露出するよう基体および脚部を貫くよう挿入され、ピン後端に加えられる力によりピン先端が脚部より突出するようにされたピンとを具える構造とした。
【０００６】
また、本発明のステープル打設具は、内部側面に凹条溝を有する円筒状の本体パイプと、該本体パイプの先端部に嵌合され、ステープルを打設しようとする電線が前記本体パイプの真上に位置するようガイドする電線ガイド部と、中央にねじ穴が開けられ、側面に凸条体が設けられた円柱状をし、該凸条体が前記凹条溝に嵌められた状態で前記本体パイプ内に遊嵌されたステープル押出体と、該ステープル押出体のねじ穴にねじ込まれ、前記本体パイプと略同じ長さのねじ棒と、該ねじ棒と連結され、前記本体パイプの下端より外部に露出している係合シャフトと、前記本体パイプの下端に設けられ、該ねじ棒と係合シャフトとの連結部を前記本体パイプに対して滑らかに回転し得るようにした回転軸支部とを具える構造のものとし、該係合シャフトを電動工具により回転させることにより前記ステープル押出体を押上げ、該ステープル押出体より先端側に入れたステープルを、前記本体パイプの先端より押し出して打設することが出来るようにした。
【０００７】
なお、前記ステープル打設具の電線ガイド部は、両側にガイド切欠部が設けられた漏斗状のスカート体と、該スカート体の中央部に延設され、且つ本体パイプの凹条溝に外部から嵌合する第２の凹条溝が側面内部に設けられた円筒状をし、本体パイプとの間にスプリングを介在させることにより本体パイプに対し進出，復帰自在に嵌合させた本体嵌合筒とにより構成することが出来る。
【０００８】
（作    用）
住宅内の手の届かない高所に配線する際、長尺のステープル打設具を手に持ち、その先端にある電線ガイド部で電線を捕捉する。そして、布設箇所に押しつけた状態で、電動工具により本体パイプ内のねじ棒を回転させる。すると、ねじ棒と螺合させてあるステープル押出体が前進し、ステープルを押し出す。押し出されたステープルは、住宅造営体に突き刺さり、電線を固定する。
これにより、高所へ配線する作業が、脚立に乗ることなく行うことが可能となる。
【０００９】
【発明の実施の形態】
以下、本発明の実施形態を図面に基づいて詳細に説明する。
図１は、本発明にかかわるステープル打設具の概要を示す図である。図１において、１はステープル打設具、２は電線ガイド部、３はステープル、４はステープル押出体、５は本体パイプ、６はねじ棒、７は回転軸支部、８は係合シャフト、９は係合アダプタ、１０は電動工具、１１は電線、２１はスカート体、２２は本体嵌合筒、２３は凹条溝、２４はガイド切欠部、３Ｔはステープル積層体である。
【００１０】
図１（１）はステープル打設具１の全体の概要を示し、図１（２）は（１）に図示したＡ−Ａ方向から見た電線ガイド部２を示し、図１（３）はステープル打設具１に収納されるステープル積層体３Ｔを示している。
ステープル打設具１の主なる構成要素は、長いパイプ状の本体パイプ５と、その先端に取り付けられた電線ガイド部２である。
【００１１】
本体パイプ５の長さは、作業員が手に持った場合、その先端が住宅の天井裏の配線箇所に充分届く程度の長さとされる。本体パイプ５の内部には、打設するステープル３を収容すると共に、該ステープル３を打設すべく押し出す構造部分が設けられている。
ステープル３は、図１（３）に示すように、複数個を積層したステープル積層体３Ｔとしておくと、バラバラになっているより取り扱い易い。これを、ステープル打設具１の先端から挿入して、本体パイプ５内に収容する。
ステープル３を押し出す構造部分は、ステープル押出体４とねじ棒６であるが、ねじ棒６の下端は、本体パイプ５の下端に設けられている回転軸支部７を経て、係合シャフト８と接続されている。なお、ねじ棒６と係合シャフト８とは、一体とすることも出来る。
【００１２】
図２は、本発明のステープル打設具１の下端部分を示す図であり、符号は図１のものに対応している。係合シャフト８の断面は、円ではなく角のある形状（例、６角形等）とされる。その理由は、これに係合アダプタ９を係合させて回転させるわけであるが、角形の方が回転力を伝え易いからである。
回転軸支部７は、係合シャフト８（およびそれと一体にされているもの）とねじ棒６との連結部を、本体パイプ５に対して相対的に回転し得るようにした構造部分である。これは、ベアリング等を用い、公知の技術により構成される。
図１に戻るが、係合アダプタ９を電動工具１０に装着し、それを係合シャフト８と係合して電動工具１０を作動させると、ねじ棒６は回転する。
【００１３】
図３は、ステープル押出体４とねじ棒６との関係を示す図である。符号は図１のものに対応し、４１は凸条体、４２はねじ穴である。ステープル押出体４は、本体パイプ５の内部に遊嵌されるサイズの略円柱状のものとされる。凸条体４１は、その側面方向に設けられた凸条であり、ねじ穴４２は、ステープル押出体４の断面中心部に貫通して設けられたねじ穴である。ねじ穴４２にはねじ棒６がねじ込まれる。
【００１４】
図４は、本体パイプ５内に収容されているステープル押出体４を示す図である。ステープル押出体４は、本体パイプ５内に遊嵌されるよう収容されるが、その際、凸条体４１は凹条溝５１に嵌められて遊嵌される。
この状態でねじ棒６を回転すると、それに螺合させられているステープル押出体４は、ねじ棒６の回転方向に応じて、矢印Ｄのように上または下へと移動する。なぜなら、凸条体４１が凹条溝５１に嵌められているため、ステープル押出体４はねじ棒６と共に回転出来ないので、止むなく螺合されているねじ棒６に沿って移動せざるを得ないことになるからである。
【００１５】
図１（２）に戻って、電線ガイド部２について説明する。スカート体２１は、漏斗のように円錐形をしている。ガイド切欠部２４は、スカート体２１の左右両側の一部を切り欠いて作られる切欠部であり、その大きさは、布設しようとする電線１１を充分に受容し得る程度の大きさとされる。
なお、ガイド切欠部２４は、中央部ほど深い切欠部であることが望ましい。その方がガイド作用が良好だからである。ガイド切欠部２４で電線１１を受容することにより、ステープル打設具１の丁度中央上部を横切るように位置決めすることが可能となる。
【００１６】
図６は、本発明のステープル打設具１の上部付近を示す断面図である。符号は図１のものに対応し、１３はストッパ、１４は住宅造営体、２５，２６は係止部である。
スカート体２１の後部には本体嵌合筒２２が延設されており、本体パイプ５の先端部に嵌合されている。係止部２５，２６は、本体嵌合筒２２の上下端の内部に設けられた突出部であり、ストッパ１３は本体パイプ５の外周に設けられた突出部である。スプリング１２は、上方の係止部２５とストッパ１３との間に位置するよう、本体パイプ５に嵌装されたスプリングである。
【００１７】
電線１１をガイド切欠部２４に受容し、住宅造営体１４に軽く押し当てた状態で、本体パイプ５をスプリング１２の弾発力に抗して上方に押し上げると、本体パイプ５の先端は徐々に電線１１に近づいて行く。最も先端のステープル３が電線１１の所に届いたところで、ねじ棒６を回転させると、ステープル押出体４が上方に移動し、最先端のステープル３を押し出す。押し出されたステープル３からは、ピンが突出して来て住宅造営体１４に突き刺さり（ステープル打設）、電線１１を固定する。（ピンが突出して来るステープル３の構造については、図５で説明する。）
ステープル打設動作を終え、本体パイプ５を降ろせば、スプリング１２はストッパ１３を基点にして弾発力により伸張し、元の状態に復帰しようとする。そのため、本体嵌合筒２２は、本体パイプ５の先端方向に押し上げられる。その押し上げは、下の係止部２６がストッパ１３のところまで上がって来て係止したところで止まる。
【００１８】
図５は、本発明にかかわるステープル３を示す図である。図５において、３１は基体、３２は脚部、３３はピン後端嵌合部、３４は凸条体、３５はピン、３５Ｆはピン先端、３５Ｂはピン後端、３６はねじ棒挿通孔である。
図５（１）はピン先端３５Ｆが押し出されていない状態のステープル３を示し、図５（２）はピン先端３５Ｆが押し出されている状態のステープル３を示している。図５（３）は、ステープル３が複数個積層されている状態のもの、即ち、ステープル積層体３Ｔを示している。
【００１９】
ステープル３は、中央に円形貫通孔である円形貫通孔３６を有する円柱状の基体３１と、該基体３１の一方の側面より突出された２つの脚部３２を具えている。脚部３２の位置は、基体３１の直径の両端の位置とされる。そして、基体３１と脚部３２とを貫通するように、ピン３５が具えられている。ピン３５は金属製で、ピン先端３５Ｆは住宅造営体１４に突き刺さるよう尖った形状とされ、ピン後端３５Ｂは、押し出すための押圧力を受け易くするよう広い面積を有する形状とされる。
【００２０】
脚部３２の先端にはピン後端嵌合部３３が設けられるが、これは、その上に積層するステープル３のピン後端３５Ｂを嵌合させ、積層に便ならしめると共に、ピン３５に下方から加えられて来る押出力を上方のピン３５に伝達するためである。
ねじ棒挿通孔３６は、単にねじ棒６を挿通させるための孔であり、ねじ溝が切ってあるねじ穴ではない。凸条体３４は、図４等に示される本体パイプ５の凹条溝５１に嵌めるためのものであり、これにより周方向への回転を防止する。従って、ねじ棒６が回転してもそれにつられて回転することはない。
【００２１】
図５（３）のようなステープル積層体３Ｔの下方から、ステープル押出体４により上方への押上力が加えられると、その押上力は積層されているピン３５からピン３５へと伝達される。最上部のステープル３のピン３５の上方には何もないから、このステープル３のピン３５だけが、基体３１，脚部３２の中から図５（２）のように押し出され、住宅造営体に突き刺さるのである。
なお、図５では、２つの独立したピン３５を有するステープルの例を示したが、これに限られるわけではない。例えば、図５（１）の２つのピン後端３５Ｂ同士が連結されて、コの字状としたものでもよい。要するに、積層に便な形状をし、ピン先端が打設前は脚部内に隠れており、打設時には押し出されて突出するものであればよい。
【００２２】
ステープル打設具１は、電線に接触する作業の道具であるから、感電防止のため、本体パイプ５，電線ガイド部２等は絶縁材（例、プラスチック材）で作られることが望ましい。ステープル３も同様に、その基体３１，脚部３２は、絶縁性の合成樹脂で作られることが望ましい。
【００２３】
【発明の効果】
以上述べた如く、本発明によれば、次のような効果を奏する。
（請求項１の発明の効果）
▲１▼複数個のステープルを積層することが容易に出来、取り扱いが便利である。
ピン３５が挿通される脚部３２の先端が、ピン後端３５Ｂが嵌合し得るようなピン後端嵌合部３３とされているので、複数個のステープル３を積層して一連の形状とすることが、容易に出来る。そのため、ステープルの取り扱いが便利となる。
▲２▼積層したステープルの先頭のもののピンのみを突出させることが出来る。
積層されたステープル３の後端に力を加えると、その力は各ステープル３のピン３５を介して先頭ステープルのピン３５に伝えられ、そのピン３５の先端のみが突出させられる。即ち、突き刺さる必要のある先頭ステープル３のピン３５のみ、突出させられる。
【００２４】
（請求項２の発明の効果）
▲１▼住宅内の手の届かない高所への配線が、脚立を使わずに出来る。
ステープル打設具１の長さは、床に立っている作業員がこれを手に持った場合、住宅内の高所に届くような長さにしてあるので、脚立に乗って行う必要がなくなる。これにより、脚立からの作業員や工具の落下という危険がなくなるし、脚立に昇ったり降りたりするという手間と時間が不用となり、作業能率が向上する。また、脚立により住宅のガラス等を破損することがなくなる。
▲２▼ステープルの打設を電動力で行うので、作業員の疲労が軽減される。
ステープルを金槌で打って打設するのではなく、電動工具による回転力を利用して行うようにしたので、作業員の疲労が軽減される。
【００２５】
（請求項３の発明の効果）
▲１▼高所の電線を容易に捕捉することが出来る。
電線１１の幅より大きい直径の漏斗状のスカート体２１で電線を探り、スカート体２１の両側に設けられたガイド切欠部に導くような構造にしてあるので、電線１１を容易に捕捉することが出来る。
▲２▼先頭ステープルが電線に正確に跨がるように出来る。
電線ガイド部２が捕捉した電線１１に対し、本体パイプ５が間近まで進出し得るような構造にしてあるので、先頭ステープル３が電線１１に正確に跨がるように狙うことが出来る。
【図面の簡単な説明】
【図１】本発明にかかわるステープル打設具の概要を示す図
【図２】本発明のステープル打設具の下端部分を示す図
【図３】ステープル押出体とねじ棒との関係を示す図
【図４】本体パイプ内に収容されているステープル押出体を示す図
【図５】本発明にかかわるステープルを示す図
【図６】本発明のステープル打設具の上部付近を示す断面図
【符号の説明】
１…ステープル打設具、２…電線ガイド部、３…ステープル、４…ステープル押出体、５…本体パイプ、６…ねじ棒、７…回転軸支部、８…係合シャフト、９…係合アダプタ、１０…電動工具、１１…電線、１２…スプリング、１３…ストッパ、１４…住宅造営体、２１…スカート体、２２…本体嵌合筒、２３…凹条溝、２４…ガイド切欠部、２５，２６…係止部、３１…基体、３２…脚部、３３…ピン後端嵌合部、３４…凸条体、３５…ピン、３５Ｆ…ピン先端、３５Ｂ…ピン後端、３６…円形貫通孔、３Ｔ…ステープル積層体、４１…凸条体、４２…ねじ穴、５１…凹条溝
【図１】
2004358561.tif 000003
【図２】
2004358561.tif 000004
【図３】
2004358561.tif 000005
【図４】
2004358561.tif 000006
【図５】
2004358561.tif 000007
【図６】
2004358561.tif 000008